(57)【要約】      （修正有）【課題】様々な映像表現も可能とする大画面の演出画像表示装置が設けられていても、特別図柄の変動演出、大当たりの変動演出への利用が主で、大当たりの発生過程の中で普通図柄の変動と特別図柄の変動とを橋渡しすることとなる開放された普通電動役物へ遊技球が入賞するか否かを、特別図柄の変動演出画像と関連付けすることはなかった。【解決手段】普通図柄に当たり図柄が確定表示されると、演出画像表示装置では特別図柄に係る演出画像の前回停止表示状態を開始画像とする変動開始準備演出画像の表示が開始され、普通電動役物への入賞が発生すれば普通電動役物入賞スイッチの有効時間満了後、特別図柄の変動演出画像に引き継ぎ、入賞しなければ有効時間満了後前回停止表示状態に復帰する。【選択図】図９
2009219662.tif 000002
【特許請求の範囲】
【請求項１】
遊技盤面上の作動ゲートを通過した遊技球を検出する作動ゲート通過球検出手段と、
該作動ゲート通過球検出手段が遊技球を検出したことに基づいて当たりか或いはハズレかを判定する当たり判定手段と、
該当たり判定手段の判定結果に対応する当たり図柄或いはハズレ図柄を表示する普通図柄表示装置と
前記作動ゲート通過球検出手段が遊技球を検出したことを作動契機として前記普通図柄表示装置の普通図柄の変動制御を開始し、予め選択された変動表示時間が経過すると変動を停止させて、前記当たり判定手段の判定結果に対応する当たり図柄或いはハズレ図柄を表示する制御を行う普通図柄表示制御手段と、
遊技球の入賞不可能な状態と入賞可能な状態とに変換可能な普通電動役物と、
前記普通図柄表示装置に所定の当たり図柄が確定表示された後、所定の有効時間が満了するまでの間を検出対象有効期間として前記普通電動役物へ入賞した入賞球を検出する普通電動役物入賞球検出手段と、
前記普通図柄表示制御手段によって前記普通図柄表示装置に所定の当たり図柄が確定表示された場合に、前記普通電動役物を遊技球の入賞可能な状態に制御し、当該状態において所定の有効時間が満了する或いは前記検出対象有効期間内に前記普通電動役物入賞球検出手段が規定個数の入賞球を検出すると、前記普通電動役物を遊技球の入賞不可能な状態に制御する普通電動役物制御手段と、
前記普通電動役物入賞球検出手段が遊技球を検出したことに基づいて大当たりか或いはハズレかを判定する大当たり判定手段と、
該大当たり判定手段の判定結果に対応する大当たり図柄或いはハズレ図柄を表示する特別図柄表示装置と、
前記普通電動役物入賞球検出手段が遊技球を検出したことを作動契機として前記特別図柄表示装置の特別図柄の変動制御を開始し、予め選択された変動表示時間が経過すると変動を停止させて、前記大当たり判定手段の判定結果に対応する大当たり図柄或いはハズレ図柄を表示する制御を行う特別図柄表示制御手段と、
遊技球の入賞不可能な状態と入賞可能な状態とに変換可能な特別電動役物と、
前記特別図柄表示装置に所定の大当たり図柄が確定表示された後、前記特別電動役物へ入賞した入賞球を検出する特別電動役物入賞球検出手段と、
前記特別図柄表示制御手段によって前記特別図柄表示装置に所定の大当たり図柄が確定表示された場合に、前記特別電動役物を遊技球の入賞可能な状態に制御し、当該状態において所定の開放時間が満了する或いは前記特別電動役物入賞球検出手段が規定個数の入賞球を検出すると、前記特別電動役物を遊技球の入賞不可能な状態に制御する特別電動役物制御手段と、
前記普通図柄表示装置及び前記特別図柄表示装置とは別体の表示装置で構成され、演出画像を表示可能な演出画像表示装置と、
前記特別図柄表示制御手段からの特別図柄の表示制御に係る情報に基づき、前記特別図柄表示制御手段の表示制御に対応させて前記演出画像表示装置の演出画像の表示制御を行う演出画像表示制御手段とを備えたパチンコ遊技機において、
前記大当たり判定手段は、
所定の当たり図柄が確定表示される毎に、前記普通電動役物入賞球検出手段が１個目の遊技球を検出したことに基づいて大当たりか或いはハズレかを判定し、
前記演出画像制御手段は、
前記普通図柄表示装置に当たり図柄が確定表示される場合には前記普通図柄表示制御手段からの当たり図柄の確定表示情報に基づいて、前記演出画像表示装置に停止表示されている特別図柄に係る前回の特別図柄変動演出画像の終了画像を引き継いで開始画像とする変動開始準備演出画像の表示を開始し、当該変動開始準備演出画像の表示を開始した後、前記検出対象有効期間内に前記特別図柄表示制御手段から特別図柄の表示制御に係る情報が送信されてきた場合には、当該変動開始準備演出画像に連続させて特別図柄変動演出画像の制御を開始することを特徴とするパチンコ遊技機。
【請求項２】
前記特別図柄表示制御手段は、前記普通電動役物入賞球検出手段が遊技球を検出すると直ちに特別図柄の変動制御を開始し、
前記演出画像制御手段は、前記検出対象有効期間内に前記特別図柄表示制御手段から特別図柄の表示制御に係る情報が送信されてきた場合には、前記検出対象有効期間が経過後、当該変動開始準備演出画像に連続させて特別図柄変動演出画像の制御を開始するように制御することを特徴とする請求項１に記載のパチンコ遊技機。
【請求項３】
前記演出画像制御手段は、
前記検出対象有効期間における前記変動開始準備演出画像を、複数態様で表示するに必要な画像データが格納された記憶媒体と、
前記当たり判定手段の判定結果に当たりが得られたことに係る情報を受け取ると、今回表示する前記変動開始準備演出画像を複数態様の中から所定の態様を選択する変動開始準備演出画像選択手段とを備え、
前記普通図柄表示制御手段からの当たり図柄の確定表示情報に基づいて、前記演出画像表示装置に停止表示されている特別図柄に係る前回の特別図柄変動演出画像の終了画像を引き継いで開始画像とし、前記変動開始準備演出画像選択手段が選択した所定の態様の変動開始準備演出画像の表示を開始するとともに、
当該変動開始準備演出画像の終了画像として設定された画像が前記開始画像と一致する場合であって、且つ、前記検出対象有効期間が経過しても、前記特別図柄表示制御手段から特別図柄の表示制御に係る情報が送信されてこない場合には、前記開始画像に復帰させて当該変動開始準備演出画像を終了する一方、
当該変動開始準備演出画像の終了画像として設定された画像が前記開始画像とは異なる場合であって、且つ、前記検出対象有効期間が経過しても、前記特別図柄表示制御手段から特別図柄の表示制御に係る情報が送信されてこない場合には、当該変動開始準備演出画像の終了画像を表示して当該変動開始準備演出画像を終了することを特徴とする請求項１又は請求項２に記載のパチンコ遊技機。
【発明の詳細な説明】
【技術分野】
【０００１】
本発明は、所定の作動契機成立によって特別図柄図柄表示装置の図柄が変動を開始し、大当たり図柄が確定表示された場合に大当たりとなって特別電動役物（大入賞口）を拡開させるパチンコ遊技機に関し、詳しくは当該特別図柄表示装置の変動表示に対応する演出表示を行う演出画像表示装置を備えたパチンコ遊技機に関するものである。
【背景技術】
【０００２】
従来、この種のパチンコ遊技機は１種パチンコ遊技機として知られており、特別図柄に大当たり図柄が確定表示され、大当たりが発生するか否かが遊技者の関心事となるため、興趣を盛り上げるため、より大きく、より鮮明に表示できる表示用機器・制御部品や映像表示技術等が特別図柄表示装置に利用され、様々なリーチ演出表現が採用されるようになってきた。しかしながら、特別図柄として表示しながらのリーチ表現には規則がらみで様々な制限があるため、より変化に富んだリーチ演出表現を可能にするため、特別図柄の変動表示を行う特別図柄表示装置とは別に、特別図柄の変動に対応した演出画像表示を行う演出画像表示装置を備えるパチンコ遊技機が現れ、特別図柄表示装置では実現できないような映像表現も演出画像表示装置であれば可能ということで現在では特別図柄表示装置を備えるパチンコ遊技機では演出画像表示装置を備えたものが主力となってきている。
【０００３】
この特別図柄表示装置の作動契機として、普通電動役物へ遊技球が入賞することも広く用いられている。この普通電動役物の開放作動契機には、遊技球が特定のゲートを通過することも利用されているが、１種パチンコ遊技機では、変動した普通図柄が当たり図柄で確定表示されると普通電動役物が開放されるような設定が標準化しており、普通図柄の当たりハズレが大当たりが発生するまでの過程の最初の段階といえなくもない。このため、上述したように演出画像表示装置は特別図柄の変動に対応して作動させることが一般的であるのに対して、時間短縮時など、普通電動役物への遊技球の入賞頻度が大幅に増加し、特別図柄の変動回数が大幅に増加する状態では、最初の段階である普通図柄に遊技者の注目を集めるために普通図柄の変動に対応した演出表示を行うパチンコ遊技機が提案されている（例えば、特許文献１参照）。また、普段は、演出画像表示装置では特別図柄に係る演出表示を行うのではなく変動時間が長く設定された普通図柄に係る演出表示を行うようにし、特別図柄にリーチが発生した場合は特別図柄演出に切り換えるようにしたパチンコ遊技機が提案されている（例えば、特許文献２）。
【０００４】
【特許文献１】特開２００６−２８８５１１
【特許文献２】特開２００６−１１０１２１
【発明の開示】
【発明が解決しようとする課題】
【０００５】
普通図柄を関与させて大当たりが発生するまでには、普通図柄作動ゲートを遊技球が通過〜普通図柄に当たり図柄が確定表示〜普通電動役物の開放作動〜普通電動役物へ遊技球の入賞（特別図柄作動契機）〜特別図柄に大当たり図柄が確定表示の過程を順に踏んでいくことが必要となるが、演出の対象は、最後の特別図柄の変動に対応して行われてきている。そんな中で、上記特許文献１に記載されたパチンコ遊技機においては、大当たりが発生するまでの過程として、普通図柄・普通電動役物・特別図柄にステップアップしていくことには着目して普通図柄に対して演出画像表示を行おうとしているが、あくまでも遊技状態に応じてどちらの演出表示を行うかを切り換えるだけで、その作動契機・開始タイミングも対応する図柄が変動を開始したときである。常時（通常時）は特別図柄の変動開始とリンクし、時短時では普通図柄の変動開始とリンクされて、遊技状態で優先して演出対象とされる図柄の種類が切り換えられるが、いずれも演出の開始は、対応する図柄が変動を開始したときであり、演出内容も変動を開始した図柄がどのような図柄で確定されるかを盛り上げるために演出画像表示装置が利用されているにすぎない。上記特許文献２に記載されたパチンコ遊技機においても、演出画像表示装置では普通図柄の変動に係る演出表示を行うとしながらも、例えば、特別図柄にリーチが発生すれば演出画像を切り換えようとするものである。このようにこれまでの演出画像表示装置の演出対象は図柄変動に係る演出表示に限られており、演出表示の開始タイミングは対応する図柄の変動開始タイミングに限られていただけでなく、大当たりの発生過程の中で普通図柄の変動と特別図柄の変動とを橋渡しすることとなる普通電動役物へ遊技球が入賞するか否かに関した演出表示は全く行われてこなかった。
【０００６】
本発明は、上記問題点を解決するためになされたものであり、演出画像表示装置は特別図柄の変動表示に対応した演出表示を行うものとの原則的な性格付けは維持しながらも、特別図柄の変動が開始されるための前段階である普通図柄の確定図柄が当たり図柄となった時点から演出表示を開始させ、特別図柄の変動が開始されるか否かの直接的な作動契機となる普通電動役物への遊技球の入賞の有無についても演出表示の対象とし、当該演出表示の結末から普通電動役物へ入賞が発生したか否かが容易に把握できるパチンコ遊技機を提供することを目的とする。
【課題を解決するための手段】
【０００７】
上記目的を達成するため、請求項１の発明においては、
遊技盤面上の作動ゲートを通過した遊技球を検出する作動ゲート通過球検出手段と、
該作動ゲート通過球検出手段が遊技球を検出したことに基づいて当たりか或いはハズレかを判定する当たり判定手段と、
該当たり判定手段の判定結果に対応する当たり図柄或いはハズレ図柄を表示する普通図柄表示装置と
前記作動ゲート通過球検出手段が遊技球を検出したことを作動契機として前記普通図柄表示装置の普通図柄の変動制御を開始し、予め選択された変動表示時間が経過すると変動を停止させて、前記当たり判定手段の判定結果に対応する当たり図柄或いはハズレ図柄を表示する制御を行う普通図柄表示制御手段と、
遊技球の入賞不可能な状態と入賞可能な状態とに変換可能な普通電動役物と、
前記普通図柄表示装置に所定の当たり図柄が確定表示された後、所定の有効時間が満了するまでの間を検出対象有効期間として前記普通電動役物へ入賞した入賞球を検出する普通電動役物入賞球検出手段と、
前記普通図柄表示制御手段によって前記普通図柄表示装置に所定の当たり図柄が確定表示された場合に、前記普通電動役物を遊技球の入賞可能な状態に制御し、当該状態において所定の有効時間が満了する或いは前記検出対象有効期間内に前記普通電動役物入賞球検出手段が規定個数の入賞球を検出すると、前記普通電動役物を遊技球の入賞不可能な状態に制御する普通電動役物制御手段と、
前記普通電動役物入賞球検出手段が遊技球を検出したことに基づいて大当たりか或いはハズレかを判定する大当たり判定手段と、
該大当たり判定手段の判定結果に対応する大当たり図柄或いはハズレ図柄を表示する特別図柄表示装置と、
前記普通電動役物入賞球検出手段が遊技球を検出したことを作動契機として前記特別図柄表示装置の特別図柄の変動制御を開始し、予め選択された変動表示時間が経過すると変動を停止させて、前記大当たり判定手段の判定結果に対応する大当たり図柄或いはハズレ図柄を表示する制御を行う特別図柄表示制御手段と、
遊技球の入賞不可能な状態と入賞可能な状態とに変換可能な特別電動役物と、
前記特別図柄表示装置に所定の大当たり図柄が確定表示された後、前記特別電動役物へ入賞した入賞球を検出する特別電動役物入賞球検出手段と、
前記特別図柄表示制御手段によって前記特別図柄表示装置に所定の大当たり図柄が確定表示された場合に、前記特別電動役物を遊技球の入賞可能な状態に制御し、当該状態において所定の開放時間が満了する或いは前記特別電動役物入賞球検出手段が規定個数の入賞球を検出すると、前記特別電動役物を遊技球の入賞不可能な状態に制御する特別電動役物制御手段と、
前記普通図柄表示装置及び前記特別図柄表示装置とは別体の表示装置で構成され、演出画像を表示可能な演出画像表示装置と、
前記特別図柄表示制御手段からの特別図柄の表示制御に係る情報に基づき、前記特別図柄表示制御手段の表示制御に対応させて前記演出画像表示装置の演出画像の表示制御を行う演出画像表示制御手段とを備えたパチンコ遊技機において、
前記大当たり判定手段は、
所定の当たり図柄が確定表示される毎に、前記普通電動役物入賞球検出手段が１個目の遊技球を検出したことに基づいて大当たりか或いはハズレかを判定し、
前記演出画像制御手段は、
前記普通図柄表示装置に当たり図柄が確定表示される場合には前記普通図柄表示制御手段からの当たり図柄の確定表示情報に基づいて、前記演出画像表示装置に停止表示されている特別図柄に係る前回の特別図柄変動演出画像の終了画像を引き継いで開始画像とする変動開始準備演出画像の表示を開始し、当該変動開始準備演出画像の表示を開始した後、前記検出対象有効期間内に前記特別図柄表示制御手段から特別図柄の表示制御に係る情報が送信されてきた場合には、当該変動開始準備演出画像に連続させて特別図柄変動演出画像の制御を開始することを特徴とする。
【０００８】
また、請求項２の発明においては、
前記特別図柄表示制御手段は、前記普通電動役物入賞球検出手段が遊技球を検出すると直ちに特別図柄の変動制御を開始し、
前記演出画像制御手段は、前記検出対象有効期間内に前記特別図柄表示制御手段から特別図柄の表示制御に係る情報が送信されてきた場合には、前記検出対象有効期間が経過後、当該変動開始準備演出画像に連続させて特別図柄変動演出画像の制御を開始するように制御することを特徴とする。
【０００９】
また、請求項３の発明においては、
前記演出画像制御手段は、
前記検出対象有効期間における前記変動開始準備演出画像を、複数態様で表示するに必要な画像データが格納された記憶媒体と、
前記当たり判定手段の判定結果に当たりが得られたことに係る情報を受け取ると、今回表示する前記変動開始準備演出画像を複数態様の中から所定の態様を選択する変動開始準備演出画像選択手段とを備え、
前記普通図柄表示制御手段からの当たり図柄の確定表示情報に基づいて、前記演出画像表示装置に停止表示されている特別図柄に係る前回の特別図柄変動演出画像の終了画像を引き継いで開始画像とし、前記変動開始準備演出画像選択手段が選択した所定の態様の変動開始準備演出画像の表示を開始するとともに、
当該変動開始準備演出画像の終了画像として設定された画像が前記開始画像と一致する場合であって、且つ、前記検出対象有効期間が経過しても、前記特別図柄表示制御手段から特別図柄の表示制御に係る情報が送信されてこない場合には、前記開始画像に復帰させて当該変動開始準備演出画像を終了する一方、
当該変動開始準備演出画像の終了画像として設定された画像が前記開始画像とは異なる場合であって、且つ、前記検出対象有効期間が経過しても、前記特別図柄表示制御手段から特別図柄の表示制御に係る情報が送信されてこない場合には、当該変動開始準備演出画像の終了画像を表示して当該変動開始準備演出画像を終了することを特徴とする。
【発明の効果】
【００１０】
請求項１に係る発明においては、普通図柄表示装置に当たり図柄が確定表示されたことによって演出画像表示装置では、特別図柄の変動に係る演出態様とは異なる変動開始準備演出態様での演出表示を開始するが、当該変動開始準備演出態様の開始画像及び終了画像をそれぞれ前回の特別図柄に係る変動演出画像の終了画像と遊技球が入賞したとの前提で準備される次回の特別図柄に係る変動演出画像の開始画像と接続させることで、これまでは演出の対象とされてこなかった普通電動役物への遊技球の入賞の有無に係る演出表示を、当該変動開始準備演出態様の結末を特別図柄の変動が開始されるか否かによって異ならせながら特別図柄の変動に係る過去と未来の演出の狭間で実施することで、新たな興趣を生み出すことができるようになったとともに、変動開始準備演出画像に引き続いて新たな変動演出画像がスタートされるか否かによってスムーズにかつ自然体で、普通図柄・普通電動役物・特別図柄の繋がりを演出面で強調することができるようになった。
【００１１】
なお、開放された普通電動役物へ遊技球が入賞するか否か、或いは、入賞するタイミングは一定しないため、例えば、図柄位置を停止位置から移動させるような変動開始準備演出画像を用いて、且つ、入賞が発生したタイミングで演出画像としての特別図柄が変動開始するようにした場合には、入賞が発生して変動開始する以前から位置移動が起き、しかも変動開始するときは入賞タイミングに応じて毎回異なる位置から開始されるようになるので、単調になりがちな変動演出画像の開始部分を変化に富んだものとすることができる。
【００１２】
請求項２に係る発明においては、普通電動役物へ遊技球が入賞すると直ちに特別図柄が変動を開始するが、特別図柄変動演出画像は、検出対象有効期間が経過してから表示が開始されるので、開放した普通電動役物へどのタイミングで入賞しても、普通電動役物の開放終了後同じタイミングで開始されるので、普通図柄の当たり、普通電動役物の作動、特別図柄の変動開始のリズムが一定になり、それらが一連の流れに属する事象であることをより強く認識できる演出を行うことができる。また一方、開放した普通電動役物に遊技球が入賞しなかった場合でも、この変動開始準備演出態様が一見遊技者の期待に応えるかのような動きをし、遊技者の期待感を刺激する演出を行うことができる。
【００１３】
請求項３に係る発明においては、変動開始準備演出画像を複数態様で表示するに必要な画像データを備え、複数態様の中から所定の態様を選択することで、普通図柄に当たりが得られたことを契機として特別図柄の変動演出画像へつなぐまでの演出態様を切り換えることができ、普通電動役物開放開始時から演出画像表示装置上での特別図柄の予備的動作を変えることで、変化に富んだ演出を遊技者に提供できる。また、複数態様から選択できるため、遊技状態が異なる場合に対応させて、例えば大当たりの確率変動時や特別図柄の変動時間短縮時と通常遊技時とで普通電動役物の開放時時間が異なる場合にも、その時の開放時間に合わせた変動開始準備演出態様で演出が実行できる。さらに、普通図柄に当たりが得られたことを契機として、例えば、スクロール方向の変更やリーチ演出画像選択テーブルの変更も可能であり、また普通図柄に当たりが得られたことを契機として、例えば、マージャン牌の筒子牌から索子牌への変更のように、演出画像表示装置に表示される図柄画像の種類を変更すると、普通図柄の当たりを契機に演出上の特別図柄の図柄種が変わるので、普通電動役物が開放したにも拘わらず惜しくも入賞を逃した場合でも、演出上の特別図柄の図柄種が変更されて視覚的な変化が生じることにより、遊技者の悔しい気持ちを和らげると同時に、変更契機となる普通図柄に当たりが得られたことについても、当たり発生毎又は所定回数の当たりが累積された毎というように画像選択契機となる回数までも変動要素として取り込むことで、さらに変化に富んだものとすることができる。
【発明を実施するための最良の形態】
【００１４】
本発明の一実施形態のパチンコ遊技機１の主な構成について図１と図２を用いて説明する。図１は、パチンコ遊技機１の外観を正面から見た正面図で、パチンコ遊技機１は、縦長の長方形に形成された外枠２と、外枠２に対してヒンジ３によって開閉可能に取り付けられる内枠４とから構成される。さらに内枠４は複層で構成され、遊技者側に開閉可能なガラスパネル５と球皿パネル６とを上下に備え、背面側の構成として図示しない遊技盤収納枠、及び、同じく図示しないが遊技球の払い出しに係る機構部品等が取り付けられた機構板を備えている。ガラスパネル５の内側には遊技盤７が設けられている。内枠４或いはガラスパネル５を開放する時には、専用鍵を鍵穴８に差し込み、専用鍵の回動操作方向によって開放する側が選択される。但し、図１では便宜上、図２で示す遊技盤７上に形成された遊技領域３０内の構成を空白で示している。
【００１５】
ガラスパネル５は、略楕円形の開口窓部９が形成されており、開口窓部９の背面には着脱自在に２枚のガラスが取り付けられている。また、開口窓部９の周囲は合成樹脂製の装飾パネル１０で囲まれ、装飾パネル１０には演出発光部１１や効果音発音部１２が設けられている。球皿パネル６の中央位置には発射される遊技球を貯留する球皿１３が設けられており、球皿１３の天面には、遊技者が操作することで球貸しが行われる球貸しボタン１４が、左下位置には遊技者が操作することで演出状態の選択を可能とする演出選択操作部１６が、球皿パネル５の右下位置には、図示しない発射装置の発射力を調整するための発射ハンドル１５が設けられている。
【００１６】
外枠２の左側には、パチンコ遊技機１とは別体のＣＲ球貸しユニット２０が、双方向で信号の送受信可能に接続されている。ＣＲ球貸しユニット２０にはパチンコ遊技機との接続状態が正常であるか、球貸しボタン１４の球貸し操作を受け付け可能であるか等の状態を報知する状態報知ランプ２１と、紙幣の挿入口２２と、貸し球数情報が記録されたカードを挿入する挿入口２３と、カードが挿入されていることを報知するカード挿入ランプ２４と、挿入されているカードを返却させる返却ボタン２５が設けられている。
【００１７】
図２は、遊技盤７上に形成された遊技領域３０内の構成の一例を示している。遊技領域３０には、作動ゲート通過球検出手段である左ゲートスイッチ３１と右ゲートスイッチ３２（以下、ゲートスイッチ３１等という）、ゲートスイッチ３１等が遊技球を検出することを作動契機とする２個のＬＥＤからなる普通図柄表示装置３３、該普通図柄表示装置３３に当たり図柄が確定表示された場合に遊技球が入賞しやすいように開放される普通電動役物３４、該普通電動役物３４へ入賞した遊技球を検出する普通電動役物入賞球検出手段である普通電動役物入賞スイッチ３５、該普通電動役物入賞スイッチ３５が遊技球を検出することを作動契機とする２個のＬＥＤからなる特別図柄表示装置３６、該特別図柄表示装置３６に大当たり図柄が確定表示された場合に遊技球が入賞しやすいように開放される特別電動役物３７、遊技盤７の中央位置には、液晶表示ユニット１７５にて構成され、特別図柄に係る演出画像表示を行う演出画像表示装置３８、遊技領域３０に打ち込まれた遊技球のうち普通電動役物３４や特別電動役物３７や図示しない入賞口に入賞しなかった遊技球が流入するアウト口３９が設けられている。なお、普通図柄表示装置３３と特別図柄表示装置３６の構成は、遊技者から識別可能にハズレか否かが判別できれば良く、上記の事例にこだわらない。
【００１８】
次に、パチンコ遊技機１の主な電気的構成について図３を参照して説明する。外部からの電源となるＡＣ２４Ｖ電源１００は、電源基板１０１にて５Ｖ、１２Ｖ、３２Ｖのパチンコ遊技機で使用する所要の電圧に変換され、中抜き矢印の示す方向で基板ベースにおける電源の供給が行われる。黒矢印の示す方向が信号の接続先と送信方向で、矢印が片側か両側によって一方向或いは双方向であるかをを示している。
【００１９】
主制御基板１３０には、マイクロプロセッサ１３１が搭載されている。このマイクロプロセッサ１３１は、メインＣＰＵ１３２、ユーザプログラムやユーザプログラムを実行するために必要なデータが格納された内蔵ＲＯＭ１３３、ユーザプログラムの作業領域として使用する内蔵ＲＡＭ１３４、遊技領域３０に設けられた各種スイッチからの検出信号を受け取り、また普通図柄表示装置３３や普通電動役物３４等を制御するための制御信号及び後述するサブ基板に対しての制御コマンドを送信する入出力ポート１３５を備える。そして主制御基板１３０は遊技盤７に設けられた各種スイッチからの信号に基づいて、パチンコ遊技としての全体の遊技進行に係る電装品の作動を制御する遊技制御を行う。そして主制御基板１３０に遊技盤中継端子板１４０を介して電気的に接続されているスイッチや電装品としては、ゲートスイッチ３１等、普通電動役物入賞スイッチ３５、特別電動役物３７へ入賞した遊技球を検出する特別電動役物入賞スイッチ１５４、普通図柄表示部３３として２個のＬＥＤが設けられた普通図柄表示基板１４１、特別図柄表示部３６としての２個のＬＥＤが設けられた特別図柄表示基板１４２、普通電動役物３４を開放状態に変換する普通電動役物開放ソレノイド１４３、特別電動役物３７を開放状態に変換する特別電動役物開放ソレノイド１４４が挙げられる。
【００２０】
また、主制御基板１３０には、主制御基板１３０からの制御コマンドに基づいて所定の制御内容を実行するサブ基板が接続されている。そのサブ基板は、マイクロプロセッサ１１１を備えて賞球及び貸し球として遊技球の払出制御を行う払出制御基板１１０と、マイクロプロセッサ１６１を備え、画像処理基板１７０を介して演出画像表示装置３８としての液晶表示ユニット１７５の表示制御を行う演出画像制御基板１６０と、マイクロプロセッサ１８１を備えて演出操作ボタン１６と内枠４側に設けられた枠装飾ＬＥＤ基板１８２や遊技盤７側に設けられた盤装飾ＬＥＤ基板１８３や効果音発音部としてのスピーカ１２などを制御する電飾音声制御基板１８０である。なお、画像処理基板１７０にはグラフィックチップ１７１・画像データが格納されたＲＯＭ１７２が搭載されており、グラフィックチップ１７１は、演出画像制御基板１６０からの制御情報に基づいてＲＯＭ１７２から必要な画像データを取り出し、重ね合わせ等の描画処理を行い、液晶表示ユニット１７５に描画させ、演出画像制御基板１６０と画像処理基板１７０とで演出画像制御手段を構成する。
【００２１】
また、パチンコホールのホールコンピュータへ送信するための外部情報端子基板１２５も接続されており、遊技盤７に設けられた各種スイッチからの検出信号が発生する都度、或いは、大当たりの発生・終了タイミングや払い出した賞球数などを各種ホール側で営業管理する際に有用となる情報が出力可能となっている。
【００２２】
次に、パチンコ遊技機１の主制御基板１３０が実行する遊技制御内容を図４から図８に示すフローチャート図に従って説明する。まず図４は、電源の投入によるメインＣＰＵ１３２セキュリティチェック並びに初期設定の終了後に開始されるメイン制御処理内容を説明するフローチャートで、周期的に発生する割込み、例えば４ｍｓごとに発生するＣＨ０割込みに基づいて開始され、順番に以下のサブルーチンが実行される。ゲートスイッチ３１等・普通電動役物入賞スイッチ３５などの遊技球を検出する検出手段の検出状況を確認する入力処理（Ｓ１００）、払出制御基板１１０への賞球払出情報、演出画像制御基板１６０への図柄表示情報、電飾音声制御基板１７０への遊技の進行情報、普通図柄表示基板１４１や普通電動役物開放ソレノイド１４３への駆動信号等、遊技の進行に関連して制御を行う電装品或いはサブ基板への情報を出力する出力処理（Ｓ２００）、当たり判定手段３１０や大当たり判定手段３４０の判定に用いる乱数を更新する乱数更新処理（Ｓ３００）、普通図柄表示装置３３の制御内容を説明する普通図柄制御処理（Ｓ４００）、普通電動役物３４の制御内容を説明する普通電動役物制御処理（Ｓ５００）、特別図柄表示装置３６の制御内容を説明する特別図柄制御処理（Ｓ６００）、大当たり作動での制御内容を説明する大当たり制御処理（Ｓ７００）、図示しない振動センサや磁力センサが不適切或いは不正な行為を検出した場合や異常が発生した場合等における措置を行うエラー処理（Ｓ８００）が終了すると、新たなＣＨ０割込みの発生待ちとなる。
【００２３】
図５は、サブルーチンの一つである普通図柄制御処理（Ｓ４００）の処理内容を説明するフローチャートで、普通電動役物開放フラグがＯＮ（Ｓ４０１がＹＥＳ）であれば、普通図柄表示装置３３は作動を開始することができないので直ちに本処理を終了する。普通電動役物開放フラグがＯＦＦ（Ｓ４０１がＮＯ）であれば、Ｓ４０２へ進み普通図柄変動フラグの状態を確認する。普通図柄の変動開始前（Ｓ４０２がＮＯ）であれば、作動ゲートスイッチ３１等が遊技球を検出しているか確認し、検出していなければ（Ｓ４０３がＮＯ）であれば本処理を終了する。Ｓ４０３がＹＥＳであれば、「０」〜「１００」の１０１コマからなる普通図柄当たり乱数のゲートスイッチ３１等が遊技球を検出したタイミングの乱数値を抽出し（Ｓ４０４）、当該抽出した普通図柄当たり乱数値が当たり値として予め設定された値、例えば「１」〜「９９」と等しいか否かの当たり判定を行い（Ｓ４０５）、当たり判定であれば（Ｓ４０５がＹＥＳ）変動を開始してから当たり判定に対応する当たり図柄を普通図柄表示装置３３に確定表示するまでの所要時間、例えば２〜５秒の範囲内から所定の変動態様に対応した時間を選択し（Ｓ４０６）、普通図柄当たりフラグをＯＮとし（Ｓ４０７）、選択された所要時間、例えば４秒をセットして変動を開始させ（Ｓ４０９）、普通図柄変動フラグをＯＮとする（Ｓ４１０）。ハズレ判定であればハズレ判定に対応するハズレ図柄を確定表示するまでの所要時間を選択し（Ｓ４０９）、選択された所要時間、例えば１０秒をセットして変動を開始させ（Ｓ４０９）、普通図柄変動フラグをＯＮとする（Ｓ４１０）。Ｓ４０４とＳ４０５が当たり判定手段に対応し、上記した例では、当たり確率は、９９／１０１となる。
【００２４】
普通図柄表示装置３３の普通図柄が変動を開始すると、Ｓ４０２がＹＥＳとなり、セットした所要時間がタイムアップしたか、つまり、判定結果に対応する図柄を選択された変動態様での変動後確定表示するタイミングとなったか否かを判定し、未だ至らずとなれば（Ｓ４２０がＮＯ）、タイムアップまで変動を継続する。確定表示タイミングとなれば（Ｓ４２０がＹＥＳ）、普通図柄当たりフラグの状態を確認し、普通図柄当たりフラグがＯＮであれば（Ｓ４２１がＹＥＳ）当たり図柄の確定表示（Ｓ４２２）に続いて普通電動役物３４を開放させるため普通電動役物開放フラグをＯＮし（Ｓ４２３）、普通図柄当たりフラグをＯＦＦ（Ｓ４２４）した後、普通図柄変動フラグをＯＦＦする（Ｓ４２６）。一方、普通図柄当たりフラグがＯＦＦであれば（Ｓ４２１がＮＯ）ハズレ判定であり、ハズレ図柄を確定表示し（Ｓ４２５）、普通図柄変動フラグをＯＦＦして（Ｓ４２６）、ゲートスイッチ３１等が新たな遊技球を検出するのを待つことになる。
【００２５】
図６は、サブルーチンの一つである普通電動役物制御処理（Ｓ５００）の処理内容を説明するフローチャートで、まず、普通電動役物入賞球検出手段である普通電動役物入賞スイッチ３５の検出対象有効期間内であることを示す有効時間計測フラグがＯＮであるか否かを判定する（Ｓ５０１）。普通電動役物３４が開放前であればＳ５０１はＮＯであり、普通電動役物開放フラグ状態を確認し、Ｓ５０２がＮＯであれば、本処理を終了する。普通電動役物開放フラグがＯＮであれば（Ｓ５０２がＹＥＳ）、普通電動役物３４に係る所定の開放時間として、例えば１．０秒、規程入賞数として１個をセットして普通電動役物ソレノイド１４３を作動させる。次に、普通電動役物入賞スイッチ３５の有効時間として、例えば１．５秒をセットして有効時間の計測を開始し（Ｓ５０４）、計測中であることを示す有効時間計測フラグをＯＮする（Ｓ５０５）。普通電動役物３４の開放が開始されたので普通電動役物開放フラグをＯＦＦする（Ｓ５０６）。
【００２６】
普通電動役物３４が開放されると有効時間計測フラグはＯＮとなり（Ｓ５０１がＹＥＳ）、有効時間がタイムアップしたか否かを判定する。開放間もない段階ではＳ５１０はＮＯであり、規定数入賞フラグの状態を確認する。この規定数入賞フラグは、普通電動役物３４への遊技球の入賞個数を規制するもので、ＯＮとなれば開放時間がタイムアップ前でも普通電動役物３４の開放は終了させる。普通電動役物入賞スイッチ３５の検出状態判定前となればＳ５１１はＮＯであり、次に普通電動役物入賞スイッチ３５が遊技球を検出したか否かを判定する。入賞球が発生していれば（Ｓ５１２がＹＥＳ）、「０」〜「１４９９」の１５００コマからなる特別図柄大当たり乱数の普通電動役物入賞スイッチ３５が遊技球を検出したタイミングの乱数値を抽出し（Ｓ５１４）、特別図柄表示装置３６の特別図柄変動開始フラグをＯＮ（Ｓ５１５）、規定数入賞フラグをＯＮ（Ｓ５１６）として、普通電動役物３４の開放を終了させる（Ｓ５１７）。入賞球が発生していなければ（Ｓ５１２がＮＯ）、開放時間がタイムアップしているか否かを確認し、タイムアップ前であれば（Ｓ５１３がＮＯ）開放が継続され、タイムアップすれば（Ｓ５１３がＹＥＳ）普通電動役物３４の開放を終了させる（Ｓ５１７）。普通電動役物３４の開放時間よりも普通電動役物入賞スイッチ３５の有効時間の方が長く設定されているため、普通電動役物３４の開放が終了しても有効時間計時フラグはＯＮ状態が続き（Ｓ５０１がＹＥＳ）、有効時間がタイムアップ（Ｓ５１０がＹＥＳ）してはじめて有効時間計測フラグがＯＦＦ（Ｓ５２０）となり、新たな当たり図柄が確定表示されたときに、普通電動役物３４への遊技球の入賞検知を可能とするように規定数入賞フラグをＯＦＦする（Ｓ５２１）。なお、仮に普通電動役物３４の開放中に２個以上が続けて入賞したとしても、１個目の遊技球を検出することによって規定数フラグがＯＮとなり、２個目の入賞を検出した時には規定数入賞フラグがＯＮとなっているため、２個目以降の入賞に対しては特別図柄大当たり乱数の抽出は行われないようになっている。つまり特別図柄表示装置３６は、普通図柄表示装置３３に当たり図柄が確定表示され、普通電動役物３４が開放されなければ変動開始する可能性が失われていることになる。
【００２７】
図７は、サブルーチンの一つである特別図柄制御処理（Ｓ６００）の処理内容を説明するフローチャートで、まず大当たり作動フラグ状態を確認する。大当たり作動フラグがＯＮであれば（Ｓ６０１がＹＥＳ）、特別図柄表示装置３６は作動を開始することはできないので直ちに本処理を終了する。大当たり作動フラグがＯＦＦであれば（Ｓ６０１がＮＯ）特別図柄が変動中であるかの状態確認を行い、変動開始前であれば特別図柄変動中フラグはＯＦＦ（Ｓ６０２がＮＯ）となるので、特別図柄変動開始フラグがＯＮしているか判定する。普通電動役物３４へ遊技球が入賞していなければＳ６０３はＮＯであり、本処理を終了する。普通電動役物３４へ遊技球が入賞していれば特別図柄変動開始フラグがＯＮであり（Ｓ６０３がＹＥＳ）、普通電動役物制御処理のＳ５１４で抽出した特別図柄大当たり乱数値が大当たり値として予め設定された値、例えば「７」「３０１」「６０７」「９０１」「１２０７」と等しいかの大当たり判定を行い、抽出した乱数値が上記５つの当たり値のいずれかと等しく大当たりとの判定であれば（Ｓ６０４がＹＥＳ）、変動を開始してから大当たり判定に対応する当たり図柄を特別図柄表示装置３６に確定表示するまでの所要時間、例えば、１０秒〜１２０秒の範囲内から所定の変動態様に対応した所要時間を選択し（Ｓ６０５）、特別図柄大当たりフラグをＯＮとし（Ｓ６０６）選択された所要時間、例えば６０秒をセットして変動を開始させ（Ｓ６０８）、変動中であることを示す特別図柄変動中フラグをＯＮ（Ｓ６０９）とし、特別図柄表示装置３６の作動契機が成立したことを示す特別図柄変動開始フラグをＯＦＦする（Ｓ６１０）。判定結果がハズレ判定の場合（Ｓ６０４がＮＯ）には、ハズレ判定に対応するハズレ図柄を確定表示するまでの所要時間を選択し（Ｓ６０７）、選択された所要時間、例えば３０秒をセットして変動を開始させ（Ｓ６０８）、変動中であることを示す特別図柄変動中フラグをＯＮ（Ｓ６０９）とし、特別図柄表示装置３６の作動契機が成立したことを示す特別図柄変動開始フラグをＯＦＦする（Ｓ６１０）。なお、上記の例では大当たり確率は５／１５００＝１／３００となる。
【００２８】
特別図柄の変動が開始されると、特別図柄変動中フラグがＯＮ（Ｓ６０２がＹＥＳ）となり、特別図柄表示所要時間としてセットした時間の経過状況を確認し、タイムアップしていなければ（Ｓ６２０がＮＯ）変動を継続し、タイムアップして確定表示するタイミングとなれば（Ｓ６２０がＹＥＳ）、特別図柄大当たりフラグの状態を確認し、特別図柄大当たりフラグがＯＮ（Ｓ６２１がＹＥＳ）であれば、大当たり図柄を確定表示し（Ｓ６２２）、特別電動役物３７の開放契機が成立したことを示す大当たり作動フラグをＯＮ（Ｓ６２３）して新たな特別図柄が変動開始することを抑止し、特別図柄大当たりフラグをＯＦＦ（Ｓ６２４）、特別図柄変動中フラグをＯＦＦ（Ｓ６２６）する。一方、特別図柄大当たりフラグがＯＮでなければ（Ｓ６２１がＮＯ）ハズレ図柄を確定表示して、特別図柄変動中フラグをＯＦＦ（Ｓ６２６）して、特別図柄表示装置３６は新たな変動が開始されるのを待機した状態となる。
【００２９】
図８は、サブルーチンの一つである大当たり制御処理（Ｓ７００）の処理内容を説明するフローチャートで、大当たり作動フラグ状態を確認し、大当たり作動フラグがＯＮでなければ（Ｓ７０１がＮＯ）直ちに本処理を終了する。大当たり作動フラグがＯＮ（Ｓ７０１がＹＥＳ）であれば、特別電動役物３７の繰り返し回数（ラウンド数）を確認し、開放開始前の０回であれば（Ｓ７０２がＹＥＳ）、特別電動役物３７の開放時間として３０秒、規程入賞数として９個をセットして、特別電動役物開放ソレノイド１４４を作動させて特別電動役物３７を開放させる。特別電動役物入賞球検出手段としての特別電動役物入賞スイッチ１５４が９個の遊技球を検出すると、特別電動役物３７の開放を一端終了させ、繰り返し回数を＋１（Ｓ７０６）する。２Ｒ目以降では繰り返し回数が０とはならないので（Ｓ７０２がＮＯ）、繰り返し回数が許容された最大回数に到達したか否かが判定され最大値に至らない（Ｓ７１０がＮＯ）場合は、ラウンド数Ｒの値が最大値となるまで、Ｓ７０４〜Ｓ７０６の処理が繰り返され、Ｒの値が最大値となれば（Ｓ７１０）大当たり作動フラグをＯＦＦして（Ｓ７１１）本大当たり制御処理を終了する。
【００３０】
次に、本願要部の普通図柄表示装置３３と普通電動役物３４と特別図柄表示装置３６と演出画像表示装置３８の３つの表示装置の関連について、図９から図１１のタイミングチャートと、図１２から図１４の演出画像表示装置３８における演出画像の時系列的推移を示す説明図でもって説明する。上述したように普通図柄表示装置３３や特別図柄表示装置３６は主制御基板１３０のマイクロプロセッサ１３１が直接制御を行うに対して、演出画像表示装置３８は、サブ基板である演出画像制御基板１６０が、主制御基板１３０から出力される特別図柄に係る情報に基づいて、特別図柄表示装置３６の作動とタイミングを合わせるように、通常変動に対応した演出画像やリーチ変動に対応した演出画像を特別図柄表示装置３６では実現できないような様々な映像手法を盛り込んで表示することで、大当たり発生への期待感を盛り上げるようにするものである。
【００３１】
まず図９と図１２を用いて、普通図柄表示装置３３に当たり図柄が確定表示されたことにより、普通電動役物３４が開放されたにも拘わらず、普通電動役物入賞スイッチ３５の有効時間が満了しても当該普通電動役物入賞スイッチ３５からの遊技球の検出信号が主制御基板１３０へ入力されず、普通電動役物３４への入賞が発生しなかったことが確定した場合の演出画像表示装置３８の演出画像の推移を説明する。主制御基板１３０からの普通図柄に当たり図柄が確定表示された情報や開放された普通電動役物３４へ遊技球が入賞したかしなかったかの情報は、演出画像制御基板１６０に出力され、演出画像制御基板１６０に設けられたマイクロプロセッサ１６１では受け取った情報に基づいて演出画像パターンを決定し、当該マイクロプロセッサ１６１の制御下、画像処理基板１７０のＲＯＭ１７２に格納された画像データをグラフィックチップ１７１が読み出し加工して液晶表示ユニット１７５に表示させることで、主制御基板１３０からの情報に対応した演出画像が表示される。
【００３２】
図９において、時間ｔ１にゲートスイッチ３１等が遊技球を検出すると、図５のＳ４０３〜Ｓ４０５〜Ｓ４０６〜Ｓ４０９のフローに従い、直ちに普通図柄当たり乱数値の抽出、抽出された乱数値による判定、当たり判定に対応して当たり図柄を確定表示するまでの所要時間セット、普通図柄の変動開始へと続く。その際、演出画像表示装置３８では、前回の特別図柄変動演出画像が終了した時の画像を表示した状態（以下、前回停止表示状態という）で、例えば、図１２の（Ａ１）に示すように、表示領域内の位置ｐ１にて「７４２」の図柄が停止した表示状態となっている。この状態は、時間ｔ２の当たり図柄が確定表示されるまで継続する。
【００３３】
時間ｔ２となると、普通図柄表示装置３３に当たり図柄が確定表示され、主制御基板１３０は普通電動役物開放ソレノイド１４３を作動させて普通電動役物３４を遊技球が入賞可能な状態に変換すると共に普通電動役物入賞スイッチ３５の有効時間の計時を開始する一方、演出画像制御基板１６０に当たり図柄の確定表示情報を出力する。この事例は、普通電動役物３４が開放したにも拘わらず入賞しなかった場合であるので、その後、主制御基板１３０は有効時間が満了時点で非入賞情報を演出画像制御基板１６０に出力する。演出画像制御基板１６０では主制御基板１３０からの当たり図柄の確定表示情報を受信したことを契機として、画像処理基板１７０のグラフィックチップ１７１に、前回停止表示状態を終了させて、普通電動役物入賞スイッチ３５の有効時間に相当する（ｔ５−ｔ２）期間に特別図柄の変動開始準備演出画像を描画するに必要な画像データをＲＯＭ１７２から読み出して表示を開始させる。図１２（Ａ１）〜（Ａ５）にはこの変動開始準備演出画像の第１実施例としての演出画像の推移を示す。図１２（Ａ１）に示す前回停止表示状態を開始画像とし、図１２（Ａ２）に示すように図柄の輪郭部分を残して彩色部分だけが上から下への縦スクロール開始に先んじて勢いをつけるために準備するが如く離脱して移動し始め、図１２（Ａ３）では限界位置Ｐ３まで移動し、図１２（Ａ４）では再び元の位置に復帰しかけている。そして時間ｔ５に非入賞が確定するに合わせて表示位置ｐ１に復帰し前回停止表示状態を終了画像として、非入賞における変動開始準備演出画像は終了する。このように開放した普通電動役物３４に遊技球が入賞しなかった場合でも、この変動開始準備演出画像が一見して、遊技球が入賞して特別図柄の変動が開始されるという遊技者の期待に応えるかのような動きをし、遊技者の期待感を刺激する演出を行うことができるとともに、これまで演出対象とはされてこなかった普通電動役物３４への遊技球の入賞の有無についても特別図柄の変動開始と関連づけしながら演出を行うことができるようになった。
【００３４】
次に図１０と図１３を用いて、普通図柄表示装置３３に当たり図柄が確定表示されたことにより、普通電動役物３４が開放され、普通電動役物入賞スイッチ３５の有効時間内に遊技球が入賞してその検出信号が主制御基板１３０へ入力された場合の演出画像表示装置３８の演出画像の推移を説明する。
【００３５】
図１０において、時間ｔ１から時間ｔ２までの流れは図９と同じであり、普通電動役物３４の開放に合わせて演出画像表示装置３８では変動開始準備演出画像が開始される。そして普通電動役物入賞スイッチ３５の有効時間内となる時間ｔ４に入賞した遊技球が検出されると、図６のＳ５１２〜Ｓ５１４，図７のＳ６０４〜Ｓ６０５（又は〜Ｓ６０７）〜Ｓ６０８のフローに従い、特別図柄大当たり乱数値の抽出、抽出された乱数値による判定、判定結果に対応した図柄を確定表示するまでの所要時間セットをして、特別図柄が変動開始されるが、時間ｔ４の時点では演出画像表示装置３８の変動開始準備演出画像を終了させることなく、（ｔ５−ｔ２）期間が完了、即ち、普通電動役物入賞スイッチ３５の有効時間が満了するまでは変動開始準備演出画像を継続させ、当該変動開始準備演出画像に引き続く形で特別図柄に係る変動演出画像の表示を開始する。この間の画像表示の一事例を図１３に示す。図１３（Ｂ１）は、変動開始準備演出画像の開始画像であり、図１３（Ｂ２）（Ｂ３）と、スクロール開始のためのエネルギーを貯めるが如く輪郭部分を残して彩色部分が移動し再び前回停止表示位置まで戻ってこようとするが、その途中の時間ｔ４で普通電動役物３４への入賞が発生すると、特別図柄表示装置３６の特別図柄が変動開始したことを示唆可能にそれまで位置ｐ１で待機していた輪郭部分が彩色部分を出迎えに行くが如くｐ５位置に上昇し、位置ｐ３−位置ｐ４−位置ｐ５と下降してきた彩色部分と合流する。その後、輪郭部分と彩色部分が重なった本来あるべき停止表示状態で下降し、位置ｐ１まで戻ってきたところが変動開始準備演出画像の終了画像となり、引き続いて特別図柄に係る変動演出画像としての縦スクロールが開始される。このように、特別図柄の変動契機である普通電動役物３４への遊技球の入賞が発生したか否かという特別図柄の変動の前段階からの演出画像を一連の演出画像となるように演出画像表示装置３８で表示するようにしているため、特別図柄表示装置３６の作動とは連動・合致しない画像表示期間が生じることになるが、遊技者に対して訴求力の強い演出画像表示装置３８での特別図柄に係る演出画像表示は、開放した普通電動役物３４への遊技球の入賞がどのタイミングで発生しても、一定した時間の普通電動役物入賞スイッチ３５の有効時間が経過した同じタイミングで開始されるので、普通図柄の当たり図柄が確定表示、普通電動役物３４の開放、特別図柄の変動開始のリズムが一定になり、大当たり発生と関連づけされた一連の流れに属する事象であることを強く印象づけすることができる。
【００３６】
なお、図１１のように、演出画像表示装置３８での特別図柄に係る変動演出画像の表示開始時期を普通電動役物入賞スイッチ３５が遊技球を検出したタイミングである時間ｔ４とすることもできる。その場合の変動開始準備演出画像は遊技球の入賞が発生するまでは図１３（Ｂ１）〜（Ｂ３）と同様の進行をたどり、図１４（Ｃ１）〜（Ｃ３）に示すとおりとなる。時間ｔ４で入賞球が検出されると、変動開始準備演出画像の開始画像での前回停止表示位置ｐ１に留まっていた演出図柄画像の輪郭部分が彩色部分の方に素早く移動し、合流した位置ｐ６からスクロール変動を開始する。このように入賞タイミングに応じて毎回異なる位置から開始されるので、繰り返し同じ位置からのスクロールという単調になりがちな変動演出画像の開始部分を変化に富んだものとすることができる
【００３７】
図１２から図１４では、変動開始準備演出画像の組み立てが開始画像から変化し再び開始画像に復帰する或いは復帰しようとするものであるが、これに限らず、画像の組み立てが開始画像と終了画像を異ならせるようにしても良く、例えば、非入賞の場合であれば前回停止表示状態を開始画像とするのは同じでも、終了画像は前回停止表示状態とは異なる画像を表示するような変動開始準備演出画像を選択した場合の事例を第２実施例として図１５（Ｄ１）〜（Ｄ５）に、第３実施例として図１５（Ｅ１）〜（Ｅ５）で示し、図９のタイミングチャートでは時間ｔ５において移行する表示状態が、前回停止表示状態に復帰する場合を実線で示し、復帰せずに異なる表示状態に変化する場合を二点鎖線で示している。
【００３８】
図１５（Ｄ１）〜（Ｄ５）で示す第２実施例は、特別図柄の変動演出画像における図柄のスクロール方向を切り換えるように開始画像でに図柄位置と終了画像での図柄位置を異ならせ、開始画像位置から終了画像位置への移動する様子を変動開始準備画像としている。縦スクロールの停止した前回停止表示状態にある数字の「２」「４」「７」の３図柄が（Ｄ２）（Ｄ３）（Ｄ４）に示すように順に前回停止表示の横並び位置から移動し（Ｄ５）横スクロール可能な縦並び位置に移動が完了したところを終了画像とし、そのまま停止表示される。また、図１５（Ｅ１）〜（Ｅ５）で示す第３実施例は、特別図柄の変動演出画像が表示領域を縦断・横断するスクロールを基本とはせず、各図柄が表示位置で自転しながら表示図柄を切り換えていくことを基本とするため、変動開始準備演出画像も前回停止表示状態を開始画像とする点では第１実施例・第２実施例と共通するが、特別図柄の変動演出画像で用いる図柄の種類をモーフィングによって変化させ、終了画像では全く別の図柄に切り替わっていく。具体的には、図１３（Ｅ１）に示す麻雀牌の筒子図柄で「３筒」「７筒」「４筒」が横並びに並んだ前回停止表示状態から開始され、それぞれの図柄が波紋により図１３（Ｅ２）（Ｅ３）と進んで図柄識別ができなくなり、（Ｅ４）を経て（Ｅ５）では索子の「３索」「７索」「４索」に切り替わっている。このように、普通図柄に当たりが得られたことを契機として、例えば、スクロール方向の変更や、演出画像表示装置３８に表示される演出図柄画像の種類を変更すると、普通図柄に当たり図柄が確定表示されたことを契機に演出上の特別図柄の図柄種が変わるので、普通電動役物３４が開放したにも拘わらず入賞を逃した場合でも、視覚的な変化が生じることにより、遊技者の悔しい気持ちを和らげるができる。
【００３９】
普通電動役物入賞スイッチ３５の有効時間、（ｔ５−ｔ２）期間を表示に要する同一時間とする３種類の変動開始準備演出画像、図１２（Ａ１）〜（Ａ５）及び図１５（Ｄ１）〜（Ｄ５）及び図１５（Ｅ１）〜（Ｅ５）は、演出画像制御基板１６０からの時間・パターン情報に基づき、画像処理基板１７０のグラフィックチップ１７１が描画に必要な画像データをＲＯＭ１７２から読み出して描画するとした場合の演出画像事例であるが、どのパターンを選択するかが演出画像制御基板１６でランダムに選択されるか、或いは、主制御基板１３０からの出力情報に応じて選択範囲が切り換えられたり、或いは、いずれかに強制的に決定されるようにすることもできる。ランダムに切り換える場合には、特別図柄に係る演出画像を表示する演出画像表示装置３８が、普通図柄に当たりが得られたことを契機として特別図柄の変動演出画像へつなぐまでの演出態様を切り換えることができ、普通電動役物３４が開放された時から演出画像表示装置３８の特別図柄に係る演出画像の予備的動作を変えることで、変化に富んだ演出を遊技者に提供できる。さらには、変更契機となる普通図柄に当たり図柄が確定表示されたことについても、ランダムではなく何らかの規則性・法則性を持たせ、当たり図柄が特定の当たり図柄となった場合や、当たり図柄の確定表示回数が所定回数累積された毎というように複数態様の変動開始準備演出画像から選択・変更契機も変動要素として取り込むことで、さらに遊技が変化に富んだものとすることができる。
【００４０】
また、大当たり作動終了後の遊技状態として、通常遊技状態から大当たり確率が高確率に変動する確率変動状態や普通図柄・特別図柄の確定表示までの所要時間が短縮される時間短縮状態などに移行する遊技性が設定されている場合には、通常時と確率変動時或いは時間短縮時など複数態様の変動開始準備演出画像態様の中から遊技状態に対応させて所定の態様を選択したり、各態様の出現率が異なる複数の態様決定テーブルの中からいずれかのテーブルを選択することで遊技に変化を与えることができる。また、遊技状態に応じて普通電動役物３４の開放時時間が異なる場合にも、その時の開放時間に合わせた変動開始準備演出態様で演出が実行できる。
【産業上の利用可能性】
【００４１】
遊技者の視線を集めるように遊技領域の相当部分を占める大画面の演出画像表示装置が設けられ、普通図柄表示装置や特別図柄表示装置は遊技領域の周辺や遊技領域外に設けられ、遊技者から作動中であるか否かが判別可能程度に設けられたパチンコ遊技機において好適である。
【図面の簡単な説明】
【００４２】
【図１】パチンコ遊技機１の外観を正面から見た構成を示した説明図である。
【図２】遊技盤７上に形成された遊技領域３０内の全体構成を示した説明図である。
【図３】パチンコ遊技機１の制御系のブロック図である。
【図４】パチンコ遊技機１のメイン制御処理を説明するフロー図である。
【図５】メイン制御処理の中の普通図柄制御処理を説明するフロー図である。
【図６】メイン制御処理の中の普通電動役物制御処理を説明するフロー図である。
【図７】メイン制御処理の中の特別図柄制御処理を説明するフロー図である。
【図８】メイン制御処理の中の大当たり制御処理を説明するフロー図である。
【図９】開放された普通電動役物３４へ遊技球が入賞しなかった場合の演出画像表示装置３８の演出画像の表示内容を示したタイミングチャートである。
【図１０】普通電動役物３４へ遊技球が入賞したタイミングより遅れて開始される演出画像表示装置３８の演出画像の表示内容を示したタイミングチャートである。
【図１１】普通電動役物３４へ遊技球が入賞したタイミングに合わせて開始される演出画像表示装置３８の演出画像の表示内容を示したタイミングチャートである。
【図１２】図９に示された場合に表示される変動開始準備演出画像態様の１実施例を示した説明図である。
【図１３】図１０に示された場合に表示される変動開始準備演出画像態様の１実施例を示した説明図である。
【図１４】図１１に示された場合に表示される変動開始準備演出画像態様の１実施例を示した説明図である。
【図１５】図９に示された場合に表示される変動開始準備演出画像態様の別の実施例を示した説明図である。
【符号の説明】
【００４３】
３１  左作動ゲートスイッチ（作動ゲート通過球検出手段）
３２  右作動ゲートスイッチ（作動ゲート通過球検出手段）
３３  普通図柄表示装置
３４  普通電動役物
３５  普通電動役物入賞スイッチ（普通電動役物入賞球検出手段）
３６  特別図柄表示装置
３８  演出画像表示装置
１３０  主制御基板（当たり判定手段、普通図柄表示制御手段、普通電動役物制御手段、大当たり判定手段、特別図柄表示制御手段）
１６０  演出画像制御基板（演出画像制御手段）
１７０  画像処理基板  （演出画像制御手段）
【図１】
2009219662.tif 000003
【図２】
2009219662.tif 000004
【図３】
2009219662.tif 000005
【図４】
2009219662.tif 000006
【図５】
2009219662.tif 000007
【図６】
2009219662.tif 000008
【図７】
2009219662.tif 000009
【図８】
2009219662.tif 000010
【図９】
2009219662.tif 000011
【図１０】
2009219662.tif 000012
【図１１】
2009219662.tif 000013
【図１２】
2009219662.tif 000014
【図１３】
2009219662.tif 000015
【図１４】
2009219662.tif 000016
【図１５】
2009219662.tif 000017